(57)【要約】      （修正有）【課題】製造容易で人目を惹く態様での商品販売が可能であり、販売商品に応じてのデザイン化が容易で、陳列商品の販売促進に寄与し得る商品販売用スタンドを提供する。【解決手段】十字に組んで立設される支持板１、２の各面に、商品保持口を複数縦方向に適宜間隔置きに配設して成り、商品保持口は、端部に円弧状切線１３、１４が連設された切線１１、１２を十字に形成することにより生成される４つの扇形切片１５〜１８を折曲して形成される。商品保持口は、４つの扇形切片のうち上側の扇形切片１５、１６が後方に折曲され、下側の扇形切片１７、１８が前方に折曲されることにより形成される。【選択図】図１
2016195721.tif 000002
【特許請求の範囲】
【請求項１】
十字に組んで立設される支持板の各面に、商品保持口を複数縦方向に適宜間隔置きに配設して成り、前記商品保持口は、端部に円弧状切線が連設された切線を十字に形成することにより生成される４つの扇形切片を折曲して形成されることを特徴とする商品販売用スタンド。
【請求項２】
前記４つの扇形切片のうち上側の扇形切片が後方に折曲され、下側の扇形切片が前方に折曲されることにより前記商品保持口が形成される、請求項１に記載の商品販売用スタンド。
【請求項３】
前記十字に組んだ支持板の上面側及び下面側に係止板が組み付けられる、請求項１又は２に記載の商品販売用スタンド。
【請求項４】
前記支持板の上辺及び下辺に、前記係止板に形成される差込孔に差し込まれる凸部が突設される、請求項３に記載の商品販売用スタンド。
【請求項５】
前記支持板に、前記商品保持口に装填される商品に応じたプリントが施されている、請求項１乃至４のいずれかに記載の商品販売用スタンド。
【発明の詳細な説明】
【技術分野】
【０００１】
本発明は、商品販売用スタンドに関するものであり、より詳細には、主に、カップ状の容器に収納されて販売されるスナック菓子等の商品を陳列販売するための商品販売用スタンドに関するものである。
【背景技術】
【０００２】
スナック菓子等の商品は、その種類にもよるが、種々の態様で陳列されて販売に供されている。その多くは、陳列棚に並べ置く態様のものであるが、その方法は、例えば、レジの横のように、陳列棚が配置されていない場所に商品を陳列して販売したいとか、常設ではなく、一時的に商品を陳列して販売したいとかいった要請がある場合には採用することができない。
【０００３】
上記要請に応え得るものとして、例えば、特開２００９−１１２７１２号公報において商品陳列用什器についての提案がなされている。それは、板状のバックパネルの前面に多数の商品保持部を配設したものである。しかし、その商品陳列用什器は、必ずしも製造容易とは言い得ず、また、このような陳列方法は特に人目を惹くものではないため、商品販売に寄与し得るとも言い得ない。実用新案登録第３１１３５１４号公報にも、基本的にはこれと同様の陳列保管具が開示されているが、やはり上記と同様の問題がある。
【先行技術文献】
【特許文献】
【０００４】
【特許文献１】特開２００９−１１２７１２号公報
【特許文献２】実用新案登録第３１１３５１４号公報
【発明の概要】
【発明が解決しようとする課題】
【０００５】
上述したように、従来提案されている、板状のバックパネルの前面に多数の商品保持部を配設した構成のものの場合、その商品陳列用什器は、必ずしも製造容易とは言い得ず、また、このような陳列方法は特に人目を惹くものではないため、商品販売に寄与し得るとも言い得ないという問題があった。
【０００６】
そこで本発明は、製造容易で人目を惹く態様での商品販売が可能であり、販売商品に応じてのデザイン化が容易で、陳列商品の販売促進に寄与し得る商品販売用スタンドを提供することを課題とする。
【課題を解決するための手段】
【０００７】
上記課題を解決するための請求項１に係る発明は、十字に組んで立設される支持板の各面に、商品保持口を複数縦方向に適宜間隔置きに配設して成り、前記商品保持口は、端部に円弧状切線が連設された切線を十字に形成することにより生成される４つの扇形切片を折曲して形成されることを特徴とする商品販売用スタンドである。
【０００８】
一実施形態においては、前記４つの扇形切片のうち上側の扇形切片が後方に折曲され、下側の扇形切片が前方に折曲されることにより前記商品保持口が形成される。
【０００９】
また、一実施形態においては、前記十字に組んだ支持板の上面側及び下面側に係止板が組み付けられ、前記支持板の上辺及び下辺に、前記係止板に形成される差込孔に差し込まれる凸部が突設され、また、前記支持板に前記商品保持口に装填される商品に応じたプリントが施される。
【発明の効果】
【００１０】
本発明に係る商品販売用スタンドは、上記のとおり、十字に組んで立設される支持板の各面に、商品保持口を複数縦方向に適宜間隔置きに配設して成り、前記商品保持口は、端部に円弧状切線が連設された切線を十字に形成することにより生成される４つの扇形切片を折曲して形成されることを特徴とするものであって、製造容易で接着剤等を使用せずに組み立てることができ、主にカップ容器入り商品を商品保持口に斜めに挿入するという、人目を惹く態様での商品販売が可能であり、支持板に、販売商品に対応するデザインを印刷することができ、陳列商品の販売促進に寄与し得る効果がある。
【図面の簡単な説明】
【００１１】
【図１】本発明に係る商品販売用スタンドの実施例を示す分解斜視図である。
【図２】本発明に係る商品販売用スタンドの支持板の構成を示す正面図である。
【図３】本発明に係る商品販売用スタンドの上方係止部材の取付例を示す斜視図である。
【図４】本発明に係る商品販売用スタンドの商品保持口の形成例を示す斜視図である。
【図５】本発明に係る商品販売用スタンドの商品保持口への商品差込方法を示す斜視図である。
【発明を実施するための形態】
【００１２】
本発明を実施するための形態につき、添付図面に依拠して説明する。本発明に係る商品販売用スタンドは、十字形に組み立てて立設される一対の支持板１、２の各面に、商品保持口１０を複数縦方向に適宜間隔置きに配設して成るものである。支持板１、２は、通例、段ボール製であって同一形状に成形され、組み立て時に支持板１と支持板２とが上下逆にされる。支持板１、２には、適宜、陳列する商品に応じたプリントが施される。
【００１３】
支持板１、２の上辺及び下辺にはそれぞれ凹陥部３が形成され、各凹陥部３内に凸部４が２つずつ形成され、また、上辺の中心から中程にかけて差込溝５が形成される。好ましくは、差込溝５の中間部に係止突起６が突設され、また、差込溝５の下方に、差込口７が形成される。係止突起６は、支持板１、２の組み立て時に他方の支持板１、２の差込口７に差し込まれる。
【００１４】
支持板１、２には、商品保持口１０を形成するための切線が設けられる。その切線は、端部に円弧状切線１３、１４を連設した切線１１、１２を十字形に切り抜いて成るものである（完全に切り抜かない場合も含む）。図示した例では、折曲を容易にするために、横方向の切線１１の中間部が湾曲線とされている（縦方向の切線１２の中間部を湾曲させることもある。）。後述するように、商品保持口１０を形成する際、切線１１〜１４によって生成される上側の２つの扇形切片１５、１６は押し込んで折曲され、下側の２つの扇形切片１７、１８は手前に引き出されて折曲される（図４、５参照）。
【００１５】
支持板１、２の組み立ては、先ず、支持板１と上下逆にし且つ支持板１に直交させた支持板２の差込溝５に支持板１の差込溝５を差し込み（図１参照）、各係止突起６を他方の側の差込口７に差し込む。このようにして十字に組まれた支持板１、２は、その上面側及び下面側に組み付けられる係止板１９、２０によって確固と保形される。係止板１９、２０にはそれぞれ、支持板１、２の凸部４が差し込まれる嵌入孔２１と、凹陥部３の端縁が嵌合する切欠き２２とが、それぞれ対応する４箇所に穿設される。
【００１６】
本発明に係る商品販売用スタンドは、先ず、上記のようにして支持板１、２を十字に組み、その上面及び下面に係止板１９、２０を組み付けて組み立て完了となり、その組み立てに、接着等の手間を要しない。そして、このスタンドに商品を収納したカップ容器３０を装填するために、商品保持口１０を形成する。商品保持口１０は、切線１１〜１４によって生成される上側の２つの扇形切片１５、１６を押し込んで折曲すると共に、下側の２つの扇形切片１７、１８を手前に引き出して折曲することにより形成する（図４、５参照）。
【００１７】
カップ容器３０は、手前に引き出された扇形切片１７、１８に乗せて滑らせるようにして押し込み、その上半部が表側に露出するようにして商品保持口１０に嵌装する。その場合カップ容器３０は、手前に引き出された扇形切片１７、１８に乗り、且つ、支持板１、２の裏側に位置する下半部は、その上面が扇形切片１５、１６に押えられることによって安定状態を保つ。
【００１８】
上記のようにして各商品保持口１０にカップ容器３０を装填し、任意の場所に配置して販売に供する。このような態様で商品を保持する商品販売用スタンドは従来見られなかったため、大いに人目を惹き、その購買意欲をそそるものとなる。購買に際しては、単にカップ容器３０を引き抜けばよい。
【００１９】
この発明をある程度詳細にその最も好ましい実施形態について説明してきたが、この発明の精神と範囲に反することなしに広範に異なる実施形態を構成することができることは明白である。従って、この発明は、添付請求の範囲において限定した以外はその特定の実施形態に制約されるものではない。
【符号の説明】
【００２０】
１、２      支持板
３      凹陥部
４      凸部
５      差込溝
６      係止突起
７      差込口
１０      商品保持口
１１〜１４      切線
１５〜１８      扇形切片
１９、２０      係止板
２１      嵌入孔
２２      切欠き
【図１】
2016195721.tif 000003
【図２】
2016195721.tif 000004
【図３】
2016195721.tif 000005
【図４】
2016195721.tif 000006
【図５】
2016195721.tif 000007